(57)【要約】【課題】遊技盤の装着が簡単な遊技機を提供する。【解決手段】本体枠３に係る上辺部３ａの中央に、前方に向けてほぼ水平の吊り下げピン３０を突設した。また、本体枠３に係る下辺部３ｄの上面３１に位置決め用凹部３５を配設した。さらに、遊技盤７の上部に、水平溝部２２と垂直溝部２３とからなる装着案内溝２１を配設した。また、遊技盤７の下面２９に位置決め用凸部２８を配設した。そして、水平溝部２２内に吊り下げピン３０を挿入して遊技盤７を吊り下げ、さらに吊り下げピン３０を垂直溝部２３内に変位させて遊技盤７を下方移動させると共に、位置決め用凸部２８を位置決め用凹部３５内に嵌入し、当該遊技盤７が本体枠３に装着される構成とした。【選択図】図４
2007151737.tif 000002
【特許請求の範囲】
【請求項１】
遊技島設備に固定された外枠と、
外枠に配設された遊技機本体とで構成され、
遊技機本体は、
前後方向に貫通した遊技盤取付け開口が中央に配置された本体枠と、
遊技盤取付け開口を遮閉するように当該本体枠に脱着可能に配設される遊技盤と
を具備した遊技機において、
遊技盤の上部略中央に、前後方向に貫通した、略水平方向の水平溝部と該水平溝部から上方向へ連成された略垂直状の垂直溝部とからなる装着案内溝が配設され、かつ、当該遊技盤の下面に、下方へ突出した位置決め用凸部が配設されてなると共に、
本体枠に係る遊技盤取付け開口の直上に位置した上辺部の略中央に、遊技盤の装着案内溝へ挿通可能な突出杆が前方又は後方に向けて突設され、かつ、当該本体枠の遊技盤取付け開口の直下に位置した下辺部の上面に、遊技盤の位置決め用凸部が嵌入可能な位置決め用凹部が配設されてなり、
遊技盤が本体枠に装着された状態で、位置決め用凸部は位置決め用凹部内に嵌入され、かつ突出杆は垂直溝部の上端に挿入されてなる構成であって、
本体枠の突出杆が装着案内溝の水平溝部内に位置すると遊技盤は本体枠に吊持されると共に、該突出杆が、水平溝部内から垂直溝部内へ変位することにより、位置決め用凸部が位置決め用凹部内に嵌入されて、遊技盤が装着状態となるものであることを特徴とする遊技機。
【請求項２】
遊技盤に設けられた垂直溝部の溝幅は、本体枠に設けられた突出杆の外径に略等しいものであることを特徴とする請求項１記載の遊技機。
【請求項３】
遊技島設備に固定された外枠と、
外枠に配設された遊技機本体とで構成され、
遊技機本体は、
前後方向に貫通した遊技盤取付け開口が中央に配置された本体枠と、
遊技盤取付け開口を遮閉するように当該本体枠に脱着可能に配設される遊技盤と
を具備した遊技機において、
遊技盤の下端に、転動部が下方へ突出状に配設されてなると共に、
本体枠に係る遊技盤取付け開口の直下で左右方向に架け渡された下辺部の上面に、遊技盤の転動部が嵌入可能な位置決め用凹部が配設されてなり、
遊技盤が本体枠に装着された状態で、転動部は位置決め用凹部内に嵌入されてなる構成であって、
本体枠の下辺部上面に転動部が接触するように遊技盤が当該本体枠の下辺部に乗載され、かつ該遊技盤の転動部が本体枠の下辺部上面を転動して位置決め用凹部内に嵌入されることにより、当該遊技盤は装着状態となるものであることを特徴とする遊技機。
【請求項４】
本体枠に係る遊技盤取付け開口の左右に位置した側辺部のうち少なくともいずれか一方の側辺部の枠内面に、遊技盤の肉厚に略等しい溝幅の嵌合溝が上下方向に配設されてなり、
遊技盤が本体枠に装着された状態で、遊技盤の側部が前記嵌合溝内に嵌入されてなることを特徴とする請求項３記載の遊技機。
【請求項５】
遊技島設備に固定された外枠と、
外枠に配設された遊技機本体とで構成され、
遊技機本体は、
前後方向に貫通した遊技盤取付け開口が中央に配置された本体枠と、
遊技盤取付け開口を遮閉するように当該本体枠に脱着可能に配設される遊技盤と
を具備した遊技機において、
遊技盤の上部に、前後方向に貫通した貫通孔が複数配設されてなり、かつ各貫通孔の上側孔縁を、上に凸の円弧形状とすると共に、
本体枠の遊技盤取付け開口の直上で左右方向に架け渡された上辺部に、遊技盤の貫通孔に挿通可能な突出杆が前方又は後方に向けて突設されてなり、該突出杆の上面を左右方向に湾曲する上に凸の円弧形状とし、
遊技盤が本体枠に装着された状態で、突出杆の上面が貫通孔の上側孔縁に倣い接触するように突出杆が貫通孔に挿入されてなることを特徴とする遊技機。
【請求項６】
遊技盤の貫通孔の上側孔縁に、上向きの上方切欠部が形成され、本体枠の突出杆の上面に、前記上方切欠部に嵌入可能な上向きの上方突起部が形成されてなり、
遊技盤が本体枠に装着された状態で、突出杆の上方突起部が、貫通孔の上方切欠部に嵌入されてなることを特徴とする請求項５記載の遊技機。
【請求項７】
本体枠に、遊技盤を前後方向で挟持して当該遊技盤の前後方向の移動を不能とする補助支持部材が配設されてなることを特徴とする請求項１乃至請求項６のいずれかに記載の遊技機。
【発明の詳細な説明】
【技術分野】
【０００１】
本発明は、脱着可能な遊技盤を備えた遊技機に関するものであり、特に、遊技盤を本体枠に保持するための構造に関する。
【背景技術】
【０００２】
一般に、パチンコ機（遊技機）は、遊技島設備に固定された外枠と、この外枠に配設された遊技機本体とで構成されている。また、この遊技機本体は、前記外枠に開閉可能に枢設される本体枠と、この本体枠の枠内に装着される遊技盤と、遊技盤の前方に位置して、本体枠に開閉可能に枢着されるガラス収納枠と、このガラス収納枠の直下で同じく本体枠に開閉可能に枢着される上皿パネルとを備えている。また、遊技盤の前面には、遊技球を所定位置に案内する誘導レールが配設されており、この誘導レールにより、遊技球が転動する遊技領域が区画形成されている。また、遊技領域には、図柄表示装置、大入賞口、電動役物、遊技釘、及び風車等が配設され、種々の演出がなされるようになっている。ところで、一般的なパチンコ機の遊技盤は、本体枠に脱着可能に装着される構成となっており、他の遊技盤と適宜交換することにより、いわゆる新台入れ替えに対応している。
【０００３】
ここで、一般的に、遊技盤を脱着可能に保持する構成は、その着脱方向の違いにより二つに大別される。一つは、本体枠を外枠に対して開放し、それから本体枠の後側で遊技盤の脱着作業を行う構成であり、もう一つは、本体枠を遮閉状態とし、かつガラス収納枠と上皿パネルは開放状態として本体枠の前側で脱着作業を行う構成である。
【０００４】
まず、一つ目の構成における作業手順を詳述する。遊技盤を離脱させるには、まず本体枠を開放し、それから遊技盤の裏面にある制御基板のコネクタを外す。次に、遊技盤を本体枠に固定するロック機構を解除する。そして作業者は本体枠の後側に立って、かかる状態の遊技盤を枠内から引き出して本体枠から離脱させる。一方、かかる構成にあって、遊技盤を本体枠に装着する場合は、まず本体枠が開放された状態で本体枠の後側から遊技盤を本体枠内に乗載し、遊技盤を枠内で適正位置に位置決めした後、ロック機構を施錠し、それからコネクタを接続して本体枠を遮閉する。
【０００５】
次に、二つ目の構成における作業手順を詳述する。遊技盤を離脱させるには、まず本体枠を開放し、遊技盤の裏面にある制御基板のコネクタを外す。次に、開放した本体枠を閉めて、本体枠を外枠に対して遮閉状態とする。次に、かかる本体枠に枢着されたガラス収納枠と上皿パネルとを開放し、本体枠の前側からロック機構を解除する。そして作業者は、かかる状態の遊技盤を枠内から引き出して本体枠から離脱させる。一方、かかる構成にあって、遊技盤を本体枠に装着する場合は、本体枠が遮閉され、かつガラス収納枠と上皿パネルとが開放された状態で本体枠の前側から遊技盤を本体枠内に乗載し、遊技盤を枠内で適正位置に位置決めした後ロック機構を施錠する。
【０００６】
これまでに述べたように、両構成とも共通して、遊技盤の位置決めは、本体枠に乗載してから行われる。ここで、一般的に位置決めは、遊技盤裏面に設けられた小さな孔と本体枠前面に設けられた突起とを係合させて行う構成が広く採用されている。さらに両構成とも、遊技盤の固定は、位置決めが完了した後、ロック機構を施錠することにより行われる。このような位置決め作業及び固定作業を必要とする構成が開示された文献としては、例えば特許文献１がある。
【０００７】
【特許文献１】特開２００５−２１６１６号公報
【発明の開示】
【発明が解決しようとする課題】
【０００８】
しかしながら、上記したいずれの構成にあっても、遊技盤を適正な位置に位置決めすることは困難であり、煩雑で面倒であった。これは、作業者が遊技盤を持ちながら当該遊技盤の表裏を覗き込むなどして無理な体勢で突起を探し、そして小さな孔に挿入して係合させる必要があったためである。しかも遊技盤は重く、遊技盤の両側を把持して作業を行う場合は、力が入りにくく遊技盤の重みを一層感ずることととなり、重労働となる問題があった。また、その作業性の悪さゆえ、作業者が手指を本体枠と遊技盤との間で挟んでしまうこともあった。また、上述の従来構成では、位置決め作業と固定作業とを順次別々に行う必要があるため、作業効率を向上させるには限界があった。
【０００９】
そこで本発明は、これらの問題を解決することができる遊技機（例えばパチンコ機）を提供することを目的とするものである。
【課題を解決するための手段】
【００１０】
本発明は、遊技島設備に固定された外枠と、外枠に配設された遊技機本体とで構成され、遊技機本体は、前後方向に貫通した遊技盤取付け開口が中央に配置された本体枠と、遊技盤取付け開口を遮閉するように当該本体枠に脱着可能に配設される遊技盤とを具備した遊技機において、遊技盤の上部略中央に、前後方向に貫通した、略水平方向の水平溝部と該水平溝部から上方向へ連成された略垂直状の垂直溝部とからなる装着案内溝が配設され、かつ、当該遊技盤の下面に、下方へ突出した位置決め用凸部が配設されてなると共に、本体枠に係る遊技盤取付け開口の直上に位置した上辺部の略中央に、遊技盤の装着案内溝へ挿通可能な突出杆が前方又は後方に向けて突設され、かつ、当該本体枠の遊技盤取付け開口の直下に位置した下辺部の上面に、遊技盤の位置決め用凸部が嵌入可能な位置決め用凹部が配設されてなり、遊技盤が本体枠に装着された状態で、位置決め用凸部は位置決め用凹部内に嵌入され、かつ突出杆は垂直溝部の上端に挿入されてなる構成であって、本体枠の突出杆が装着案内溝の水平溝部内に位置すると遊技盤は本体枠に吊持されると共に、該突出杆が、水平溝部内から垂直溝部内へ変位することにより、位置決め用凸部が位置決め用凹部内に嵌入されて、遊技盤が装着状態となるものであることを特徴とする遊技機である。ここで、遊技機としては、例えば遊技盤を取り替えて新台を提供するパチンコ機が挙げられる。
【００１１】
かかる構成にあって、遊技盤を本体枠に装着する場合は、以下のような手順で作業をする。まず、遊技盤を持った作業者は、遊技盤の上部に設けられた装着案内溝の水平溝部内に、本体枠の突出杆を挿入し、当該遊技盤を本体枠に吊り下げる。ここで、突出杆が本体枠の前方へ突出している構成では、作業者は遮閉された本体枠の前側で作業をし、突出杆が本体枠の後側へ突出している構成では本体枠を開放して後側で作業することとなる。そして、吊り下げられた遊技盤を前後方向に移動調整して、遊技盤を前後方向で位置決めする。例えば、遊技盤の裏面を本体枠の前面に面接触させると、遊技盤に係る前後方向の位置決めが決定する構成が好適である。これと共に、吊り下げられた遊技盤を左右方向に移動させて、突出杆が水平溝部と垂直溝部とが連成する部位に位置するようにする。ここで、作業者は、遊技盤を突出杆に吊り下げた状態で左右方向に移動させれば良いため、作業者が遊技盤の全重量を支持する必要がなくなり、従来のように遊技盤が重いと感じる、又は持ちにくくて作業性が悪化する、というようなことがない。なお、突出杆が水平溝部と垂直溝部とが連成する部位に位置した状態にあっては、位置決め用凹部の直上に位置決め用凸部が位置することとなる。次に、突出杆を該連成部位から垂直溝部に位置変換する。そうすると、当該垂直溝部の案内により遊技盤が鉛直方向に沿って下方に移動し、位置決め用凹部内に位置決め用凸部が嵌入される。さらに、突出杆が垂直溝部の最上端位置まで相対移動すると、遊技盤の下方移動は規制されて、適正位置に位置決めされると共に、かかる位置で確実に固定されることとなる。すなわち、本発明は、装着案内溝の案内に従って遊技盤を左右及び下方に移動させることにより、位置決めと固定とが同時に行われるものである。なお、本発明にあって、突出杆が本体枠に対して前方に向けて突設されている場合は、作業者は本体枠を外枠に対して開放することなく遊技盤の脱着作業を行うこととなる。これに対し、突出杆が本体枠に対して後方に向けて突設されている場合は、作業者は本体枠を外枠に対して開放してから、本体枠の後側で遊技盤の脱着作業を行うこととなる。また、位置決め用凸部と位置決め用凹部は、遊技盤の下縁又は本体枠の下辺部に沿ってそれぞれ複数設ける構成が好適である。かかる構成とすることにより、位置決め精度が向上すると共に、固定強度も向上することとなる。また、遊技盤の上部位置で装着案内溝が配設される位置、及び本体枠の上辺部位置で突出杆が配設される位置は、丁度突出杆が垂直溝部の上端に位置したときに遊技盤が本体枠の枠内に適正に配されることとなるよう適宜設定される。また、水平溝部の水平度は、厳密である必要はなく、突出杆が水平溝部内で相対移動すると、遊技盤が本体枠の上辺部又は下辺部に沿って移動する程度であれば良い。なお、本発明に係る遊技盤の装着作業にあっては、従来のような遊技盤の表裏を覗き込むようにして係合部の位置を探すような煩雑な作業は不要となる。
【００１２】
また、上記構成にあって、遊技盤に設けられた垂直溝部の溝幅は、本体枠に設けられた突出杆の外径に略等しいものである構成が提案される。
【００１３】
かかる構成とすることにより、突出杆が垂直溝部内で左右方向に位置ずれすることがなくなる。換言すれば、遊技盤を下方移動する際に、当該遊技盤がガタつくことがない。すなわち、かかる構成とすることにより、遊技盤は左右方向で安定して位置決めされることととなり、位置決め精度が向上すると共に、遊技盤を装着する際の作業性も向上することとなる。
【００１４】
また本発明は、遊技島設備に固定された外枠と、外枠に配設された遊技機本体とで構成され、遊技機本体は、前後方向に貫通した遊技盤取付け開口が中央に配置された本体枠と、遊技盤取付け開口を遮閉するように当該本体枠に脱着可能に配設される遊技盤とを具備した遊技機において、遊技盤の下端に、転動部が下方へ突出状に配設されてなると共に、本体枠に係る遊技盤取付け開口の直下で左右方向に架け渡された下辺部の上面に、遊技盤の転動部が嵌入可能な位置決め用凹部が配設されてなり、遊技盤が本体枠に装着された状態で、転動部は位置決め用凹部内に嵌入されてなる構成であって、本体枠の下辺部上面に転動部が接触するように遊技盤が当該本体枠の下辺部に乗載され、かつ該遊技盤の転動部が本体枠の下辺部上面を転動して位置決め用凹部内に嵌入されることにより、当該遊技盤は装着状態となるものであることを特徴とする遊技機である。
【００１５】
かかる構成にあって、遊技盤を本体枠に装着する場合は、以下のような手順で作業をする。まず、遊技盤を持った作業者は、本体枠の枠内に当該遊技盤を乗載する。すなわち、遊技盤に設けられた転動部を、本体枠の下辺部上面に載置する。次に、かかる状態で転動部を転動させて遊技盤を前後左右方向に動かし、当該転動部が位置決め用凹部内に嵌入する位置まで移動させる。そして、転動部が位置決め用凹部内に嵌入すると、遊技盤は本体枠に固定され、かつ、遊技盤が定位置に位置決めされ、確実に適正位置で保持されることとなる。なお、本発明にあっては、作業者が作業する場所は特に限定されない。すなわち、本体枠の前側であっても良いし、後側であっても良く、要は遊技盤を本体枠に乗載することができる態様で作業可能である。
【００１６】
また、上記構成にあって、本体枠に係る遊技盤取付け開口の左右に位置した側辺部のうち少なくともいずれか一方の側辺部の枠内面に、遊技盤の肉厚に略等しい溝幅の嵌合溝が上下方向に配設されてなり、遊技盤が本体枠に装着された状態で、遊技盤の側部が前記嵌合溝内に嵌入されてなる構成が提案される。
【００１７】
かかる構成とすることにより、遊技盤が装着された状態で前後方向に支持固定されることとなり、より一層安定して本体枠に保持されることとなる。
【００１８】
また本発明は、遊技島設備に固定された外枠と、外枠に配設された遊技機本体とで構成され、遊技機本体は、前後方向に貫通した遊技盤取付け開口が中央に配置された本体枠と、遊技盤取付け開口を遮閉するように当該本体枠に脱着可能に配設される遊技盤とを具備した遊技機において、遊技盤の上部に、前後方向に貫通した貫通孔が複数配設されてなり、かつ各貫通孔の上側孔縁を、上に凸の円弧形状とすると共に、本体枠の遊技盤取付け開口の直上で左右方向に架け渡された上辺部に、遊技盤の貫通孔に挿通可能な突出杆が前方又は後方に向けて突設されてなり、該突出杆の上面を左右方向に湾曲する上に凸の円弧形状とし、遊技盤が本体枠に装着された状態で、突出杆の上面が貫通孔の上側孔縁に倣い接触するように突出杆が貫通孔に挿入されてなることを特徴とする遊技機である。
【００１９】
かかる構成にあって、遊技盤を本体枠に装着する場合は、以下のような手順で作業をする。まず、遊技盤を持った作業者は、遊技盤の上部に設けられた貫通孔内に、本体枠の突出杆を挿入する。そして、当該遊技盤を本体枠に吊り下げる。ここで、本発明にあっては、遊技盤に設けられた貫通孔の上側孔縁の曲率と、突出杆の上面の曲率とを適宜設定し、遊技盤が吊り下げられた状態で互いが倣い接触するようになっている。しかも、突出杆は複数設けられているため、遊技盤は、左右方向への移動が規制され、左右方向で確実に位置決めされることとなる。換言すれば、作業者は、貫通孔内に突出杆をそれぞれ挿通させて遊技盤を吊り下げるだけで、当該遊技盤は左右方向に位置決めされることとなり、従来に比して装着作業の負担は格段に軽減されることとなる。
【００２０】
また、上記構成にあって、遊技盤の貫通孔の上側孔縁に、上向きの上方切欠部が形成され、本体枠の突出杆の上面に、前記上方切欠部に嵌入可能な上向きの上方突起部が形成されてなり、遊技盤が本体枠に装着された状態で、突出杆の上方突起部が、貫通孔の上方切欠部に嵌入されてなる構成が提案される。
【００２１】
かかる構成とすることにより、遊技盤が本体枠に装着された状態で上方突起部と上方切欠部とが係合し、突出杆の上面に倣い接触した貫通孔が突出杆の軸線周りで回転不能となるため、遊技盤を確実に位置決めさせることができると共に、安定して装着位置に固定させることが可能となる。
【００２２】
また、これまでに述べた発明にあって、本体枠に、遊技盤を前後方向で挟持して当該遊技盤の前後方向の移動を不能とする補助支持部材が配設されてなる構成が好適である。
【００２３】
かかる構成とすることにより、遊技盤は前後方向へ傾倒してしまうことが防止される。したがって、遊技者が遊技領域を確実に視認できる位置に遊技盤を配置することが可能となる。
【発明の効果】
【００２４】
本発明の遊技機は、遊技盤に、水平溝部及び垂直溝部からなる装着案内溝、並びに下方へ突出した位置決め用凸部を配設すると共に、本体枠に、前方又は後方に突出した突出杆及び位置決め用凸部が嵌入可能な位置決め用凹部を配設し、遊技盤が本体枠に装着された状態で、位置決め用凸部は位置決め用凹部内に嵌入され、かつ突出杆は垂直溝部の上端に挿入される構成としたため、遊技盤を取り付ける作業者は、遊技盤を突出杆に吊り下げた状態で適宜遊技盤の位置決めをすることが可能となり、遊技盤の全重量を支持して作業する必要がない。このため本発明は、遊技盤取付け時の作業負担が飛躍的に軽減される効果がある。また、遊技盤装着時に、突出杆が垂直溝部の上端に挿入されるようにしたため、遊技盤は上下方向について確実に位置決めされる利点がある。さらに位置決め用凸部と位置決め用凹部が嵌合する構成としたため、遊技盤は精度良く位置決めされると共に本体枠に安定的に固定される利点がある。すなわち、本発明は、装着案内溝の案内に従って遊技盤を移動させることにより、位置決め作業と固定作業とを同時に行うことでき、作業効率が飛躍的に向上する効果がある。
【００２５】
また、上記構成にあって、垂直溝部の溝幅を突出杆の外径に略等しいものとした場合は、突出杆が垂直溝部内で左右方向に位置ずれすることがなくなるため、下方移動する遊技盤が左右方向へガタつくことがない。すなわち、かかる構成は、位置決め精度が向上する効果があると共に、遊技盤を装着する際の作業性も向上する効果がある。
【００２６】
また本発明の遊技機は、遊技盤に転動部を下方へ突出するように配設すると共に、本体枠に遊技盤の転動部が嵌入可能な位置決め用凹部を配設し、遊技盤が本体枠に装着された状態で、転動部が位置決め用凹部内に嵌入される構成としたため、遊技盤を取り付ける作業者は、本体枠の枠内に遊技盤を乗載し、転動部を転動させて前後左右方向に移動させることが可能となり、遊技盤の全重量を支持して作業する必要がない。このため本発明は、遊技盤取付け時の作業負担が飛躍的に軽減される効果がある。また、転動部が位置決め用凹部内に嵌入すると、遊技盤は本体枠に固定され、かつ、遊技盤が定位置に位置決めされる構成としたため、位置決め作業と固定作業とを同時に行うことでき、作業効率が飛躍的に向上する効果がある。
【００２７】
また、上記構成にあって、本体枠に係る側辺部の枠内面に嵌合溝を配設した場合は、遊技盤は前後方向に支持固定されることとなるため、安定して本体枠に保持される利点がある。
【００２８】
また本発明の遊技機は、遊技盤に貫通孔を複数配設し、かつ各貫通孔の上側孔縁を、上に凸の円弧形状とすると共に、本体枠に突出杆を突設し、かつ突出杆の上面を左右方向に湾曲する上に凸の円弧形状とし、遊技盤が本体枠に装着された状態で、突出杆の上面が貫通孔の上側孔縁に倣い接触するように突出杆が貫通孔に挿入される構成としたため、遊技盤を取り付ける作業者は、貫通孔内に突出杆を挿入すれば遊技盤が位置決めされて保持されることとなり、作業負担は格段に軽減される効果がある。
【００２９】
また、上記構成にあって、貫通孔の上側孔縁に上方切欠部を形成し、突出杆の上面に上方切欠部と係合する上方突起部を形成した場合は、貫通孔が突出杆の軸線周りで回転不能となるため、遊技盤を確実に位置決めできる効果があると共に、安定して装着位置に固定できる効果がある。
【００３０】
また、これまでに述べた発明にあって、本体枠に補助支持部材を配設した場合は、遊技盤が前後方向へ傾倒してしまうことを防止できる効果がある。
【発明を実施するための最良の形態】
【００３１】
<第一実施例>
本発明に係るパチンコ機１（遊技機）の第一実施例を添付図面に従って説明する。
パチンコ機１は、図１に示すように、遊技島設備（図示省略）に起立状に固定された木製の外枠２と、この外枠２に配設される遊技機本体１６とで構成されている。なお、外枠２は、中央が前後方向に開口しており、この開口部に遊技機本体１６が取り付けられる。
【００３２】
遊技機本体１６は、金属製で額縁状の本体枠３と、本体枠３に脱着可能に装着される遊技盤７（図２参照）とで主に構成されている。さらに詳述すると、本体枠３は、外枠２の左側縁に設けられたヒンジ部材１５を介して開閉可能に取り付けられている。このように、通常、本体枠３は左側縁を支軸として右開きとなるように取り付けられている。また、前記本体枠３の中央には、前後方向に貫通した矩形状の遊技盤取付け開口２０が配されている。
【００３３】
さらに、本体枠３の前面側には、ガラス収納枠４が開閉可能に取り付けられ、このガラス収納枠４内にガラス板６が収納されている。具体的にガラス収納枠４は、その左側縁を支軸として右開きとなるように取り付けられている。また、ガラス収納枠４の直下には、上皿パネル５が同じ方向で開閉するように取り付けられている。そして、この上皿パネル５の前面には、多数の遊技球を一時的に貯留する上部球受皿（隠れて見えない）が設けられている。これに対し、上皿パネル５の裏面には、上部球受皿に流入した遊技球を、後述する発射鎚１１の打球位置に送り出す球送り装置１８が配設されている。
【００３４】
また、本体枠３の下部で、上皿パネル５に対向する部位には、遊技球を上方に案内する発射レール１２と、この発射レール１２の下端に位置する発射鎚１１とが配設されている。そして、前記球送り装置１８により送り出された遊技球は、この発射鎚１１により弾き出され、発射レール１２により上方へ打ち出される。また、発射レール１２の左隣には、効果音を出力するスピーカー１３が配設されている。さらに、このスピーカー１３の左隣には、遊技島設備から賞球として供給される遊技球が流出する賞球供給口１４が開口している。
【００３５】
さらに本体枠３の前面下部には、前記発射鎚１１に連繋されて遊技球の打出強度を調節可能とする操作ハンドル１０と、上部球受皿内の遊技球が流入可能な下部球受皿９とが配設されている。
【００３６】
なお、上述のように、本体枠３の中央には遊技盤取付け開口２０が配されているところ、この遊技盤取付け開口２０の直上に本体枠３の上辺部３ａが、遊技盤取付け開口２０の左位置に左辺部３ｂが、遊技盤取付け開口２０の右位置に右辺部３ｃが、遊技盤取付け開口２０の直下に下辺部３ｄがそれぞれ配置されることとなる。換言すれば、遊技盤取付け開口２０は、上下方向の左辺部３ｂ及び右辺部３ｃ、並びに、左右方向に架け渡された上辺部３ａ及び下辺部３ｄにより囲繞されてなる。また、遊技盤取付け開口２０の開口面積は、遊技盤７が当該遊技盤取付け開口２０内に配置された際に、当該遊技盤７の周囲に作業スペースが十分に生じるようなものに設定されている（図４等参照）。なお、前記左辺部３ｂ及び右辺部３ｃにより、本発明に係る側辺部が構成される。
【００３７】
次に、遊技盤取付け開口２０に装着される遊技盤７について説明する。
図２に示すように、遊技盤７は、正面視ほぼ正方形で、その厚みが２０ｍｍに設定されている。さらに、遊技盤７の前面には、遊技球を所定位置に案内する誘導レール２５が配設されており、この誘導レール２５により、遊技球が転動流下する遊技領域８が区画形成されている。また、遊技領域８には、図柄表示装置２４、大入賞口２６、電動役物２７、及び遊技釘（図示省略）等が配設され、種々の演出がなされるようになっている。  
【００３８】
次に、本発明の要部について説明する。
図１に示すように、本体枠３に係る上辺部３ａの中央には、前方に向けてほぼ水平に吊り下げピン３０が一つ突設されている。この吊り下げピン３０の突出長さは、遊技盤７の肉厚より若干長く、２５ｍｍに設定されている。また、吊り下げピン３０の外径は、後述する装着案内溝２１に挿入可能なものに設定されている。なお、本実施例に係る吊り下げピン３０により、本発明（請求項１，２）に係る突出杆が構成される。ところで、図１は、吊り下げピン３０を説明するために、上辺部３ａに取り付けられた横長の装飾部材３４の中央を一部切欠して示している。
【００３９】
また、本体枠３に係る下辺部３ｄの平滑で水平な上面３１には、二つの位置決め用凹部３５，３５が当該下辺部３ｄの長手方向に沿って並設されている。さらに詳述すると、この位置決め用凹部３５は、下辺部３ｄの上面３１に対して所定深さで凹成されており、それぞれすり鉢形状となっている。なお、位置決め用凹部３５の外形は、後述する位置決め用凸部２８が嵌入可能となるように設定されている。
【００４０】
図２に示すように、遊技盤７の上部中央には、前後方向に貫通した正面視逆Ｌ字状の装着案内溝２１が配設されている。さらに詳述すると、この装着案内溝２１は、水平方向の水平溝部２２と垂直方向の垂直溝部２３とで構成されており、垂直溝部２３は、水平溝部２２の右端から上方に垂直状に連成されている。なお、垂直溝部２３の溝幅ｄ１は、上記した本体枠３の吊り下げピン３０の外径にほぼ等しく設定されており、吊り下げピン３０が左右にガタつくことなく挿入可能となっている。また、水平溝部２２の溝幅ｄ２は、垂直溝部２３の溝幅ｄ１よりも若干幅広に設定され、余裕を持って吊り下げピン３０が挿入可能となっている。
【００４１】
また、遊技盤７の下面２９には、下方に突出した二つの位置決め用凸部２８，２８が遊技盤７の下縁に沿って配設されている。さらに詳述すると、図２，３に示すように、各位置決め用凸部２８は、断面台形状で、左右幅１０ｍｍ、前後長さ（肉厚）９ｍｍ、突出長さ５ｍｍ程度の寸法に設定されている。なお、遊技盤７の下面２９のうち左端部には、本体枠３の下辺部３ｄに設けられた賞球供給口１４との干渉を避けるべく、切欠部３２が形成されている。また、図２に示すように、遊技盤７の右上部には正面視円形の円形凹部４３が配設されると共に、遊技盤７の右下部には正面視矩形の矩形凹部４４が配設されている。これら円形凹部４３と矩形凹部４４は、後述する円柱型押さえ部材４１と板片型押さえ部材４２とにそれぞれ押圧される部位である。
【００４２】
また、図１に示すように、ガラス収納枠４の裏面で、手前上側の角位置には、後方に向けて突出した円柱型押さえ部材４１が配設されている。かかる構成にあって、遊技盤７が遊技盤取付け開口２０を遮閉するように本体枠３に装着された状態で当該ガラス収納枠４が遮閉されると、前記遊技盤７の円形凹部４３の底面を円柱型押さえ部材４１の先端面が面接触した状態となるように設定されている（図７参照）。
【００４３】
また、図１に示すように、上皿パネル５の裏面で、球送り装置１８の直上には、後方に向けて突出した板片型押さえ部材４２が配設されている。かかる構成にあって、遊技盤７が上述した態様で本体枠３に装着された状態で当該上皿パネル５が遮閉されると、前記遊技盤７の矩形凹部４４の底面を板片型押さえ部材４２の先端面が面接触した状態となるように設定されている（図７参照）。
【００４４】
次に、遊技盤７の装着手順を説明する。
まず、作業者は本体枠３を遮閉状態とすると共に、ガラス収納枠４と上皿パネル５とを開放状態とする（図１参照）。そして、本体枠３の前側で装着しようとする遊技盤７を把持し、図４に示すように、遊技盤７の上部に設けられた装着案内溝２１の水平溝部２２内に、本体枠３の吊り下げピン３０を挿入する。さらに、その遊技盤７をやや下方移動させて吊り下げピン３０の上面に水平溝部２２の上縁を引っ掛けて、そのまま遊技盤７を本体枠３に吊り下げる。ここで、図４は、吊り下げピン３０が水平溝部２２の左端に位置した状態を示している。また、図４に示す吊り下げ状態にあっては、遊技盤７は遊技盤取付け開口２０内で右上寄りに位置することとなる。
【００４５】
次に、作業者は遊技盤７を吊り下げた状態のまま、当該遊技盤７を後方へ押し込み、遊技盤７の裏面を、本体枠３の枠内面に正面向きで帯状に周成された背板部１７に面接触させる。これと共に、作業者は、当該遊技盤７を把持して左方にスライド移動させて、図５に示すように、吊り下げピン３０を水平溝部２２と垂直溝部２３との連成部位に位置させる。換言すれば、吊り下げピン３０は、水平溝部２２内をその案内に従って右方に相対移動することとなる。なお、図５に示す状態となると、遊技盤７は、図４に示す状態に比べて遊技盤取付け開口２０内で中央寄りに変位することとなると共に、遊技盤７の位置決め用凸部２８，２８が、それぞれ本体枠３の位置決め用凹部３５，３５の直上に位置することとなる。
【００４６】
引き続き作業者は、図６に示すように、遊技盤７を垂直溝部２３の案内に従って下方移動させる。そうすると、吊り下げピン３０は、垂直溝部２３内を上方に相対移動することとなる。これと共に、遊技盤７の位置決め用凸部２８，２８は、本体枠３の位置決め用凹部３５，３５内に上方から嵌入されることとなる。そして、作業者は、吊り下げピン３０が垂直溝部２３の上端に位置するまで遊技盤７を下方移動させる。そして、吊り下げピン３０が垂直溝部２３の上端に位置すると、遊技盤７の下面２９と本体枠３の下辺部３ｄとが当接し、位置決め用凸部２８は位置決め用凹部３５内に完全に嵌入される。これにより、一連の装着作業のなかで同時に遊技盤７の位置決めと固定とが実現され、遊技盤７が本体枠３に適正に装着された状態となる。なお、垂直溝部２３の溝幅ｄ１は、吊り下げピン３０の外径にほぼ等しく設定されているため、遊技盤７は下方移動中に左右にガタつくことがなく、位置決め用凸部２８が位置決め用凹部３５内に円滑に挿入されることとなる。また、位置決め用凹部３５は、すり鉢形状として内周面を緩斜面としたため、位置決め用凸部２８がその案内作用により円滑に嵌入されることとなる。なお、吊り下げピン３０が垂直溝部２３の上端に位置した場合は、遊技盤７自身の自重により吊り下げピン３０の上面と垂直溝部２３の上縁とが強く当接して係合するため、遊技盤７が上下左右方向で位置固定されることとなる。
【００４７】
ところで、図６に示す遊技盤７の装着状態にあって、位置決め用凸部２８の先端は位置決め用凹部３５の底部に接触していない。したがって、上下方向の固定作用は主に垂直溝部２３の上端縁と吊り下げピン３０の上面との係合により保証され、前後方向の固定作用が、位置決め用凸部２８と位置決め用凹部３５の嵌め合いにより保証されている。
【００４８】
なお、上記装着手順を完了し、裏面のコネクタを接続し、さらに開放状態のガラス収納枠４と上皿パネル５とを遮閉状態とすると、最終的にパチンコ機１が遊技可能な態様となる。かかる状態にあっては、図７に示すように、ガラス収納枠４の円柱型押さえ部材４１が遊技盤７の円形凹部４３の底面に当接すると共に、上皿パネル５の板片型押さえ部材４２が遊技盤７の矩形凹部４４の底面に当接する。これにより、遊技盤７の裏面は背板部１７にさらに密着することとなり、遊技盤７は前後に傾倒することなく起立状に保持されることとなる。なお、遊技盤７を前後方向で補助的に挟持することとなる背板部１７、円柱型押さえ部材４１、及び板片型押さえ部材４２により、本発明に係る補助支持部材が構成される。
【００４９】
なお、装着案内溝２１の溝幅ｄ１，ｄ２は、少なくとも吊り下げピン３０が挿入可能であれば良く、上記構成に代えて適宜設定されうる。また、吊り下げピン３０は、本体枠３から後方に向けて突出する構成としても良い。かかる構成とすると、本体枠３の後方側から遊技盤７を吊り下げ、装着状態とすることとなる。
【００５０】
なお、本実施例に係るパチンコ機１にあって、遊技盤７を取り外す場合は、上記した装着手順と逆の手順で離脱作業を行うこととなる。
【００５１】
<第二実施例>
次に、第二実施例のパチンコ機１ａについて説明する。なお、第一実施例の構成と同じものについては、同じ符号を付すと共に、説明を簡略又は省略することとする。
図８に示すように、本体枠３に係る下辺部３ｄの上面３１には、二つの位置決め用凹部３５ａ，３５ａが当該下辺部３ｄの長手方向に沿って並設されている。さらに詳述すると、図８又は図１２に示すように、本実施例に係る位置決め用凹部３５ａの開口形状は台形型とし、特に、互いに平行な前後方向の二辺のうち、左側の辺を短辺４５とし、右側の辺を長辺４６としている。そして、当該位置決め用凹部３５ａは、後述するローラー５０が嵌入可能となるような外形（幅、深さ等）に設定されている。なお、本実施例に係る本体枠３には、吊り下げピンは配設されない。
【００５２】
また、図９〜図１１に示すように、本実施例に係る遊技盤７の下面２９には、左右方向に走行可能なローラー５０が下方へ突出状に配設されている。さらに詳述すると、図１１ｂに示すように、遊技盤７の最下部には、前後方向に貫通した軸孔５２ａが形成されていると共に、この軸孔５２ａの周囲に、ローラー５０が収納可能なローラーボックス５３が形成されている。また、ローラーボックス５３と外部とを連通させるボックス孔５３ａが遊技盤７の下面２９に開口している。そして、図１１ａに示すように、前記軸孔５２ａ、及びローラー５０に設けられた軸孔５１ａにローラー軸５２が前後方向で挿通されて、ローラー５０がローラーボックス５３内で左右方向へ回転可能に軸支されることとなる。なお、かかる軸支状態にあっては、ローラー５０の下端がボックス孔５３ａから下方へ所定長さ（例えば、第一実施例に係る位置決め用凸部２８の突出長さと同じ）だけ突出するように軸孔５２ａ等の配置やローラー５０の外径が決定される。ところで、本実施例にあっては、案内装着溝、及び位置決め用凸部は設けられない。なお、本実施例に係るローラー５０により、本発明に係る転動部が構成される。
【００５３】
次に、遊技盤７の装着手順を説明する。
まず、作業者は本体枠３を遮閉状態とすると共に、ガラス収納枠４と上皿パネル５とを開放状態とする。そして、本体枠３の前側で装着しようとする遊技盤７を把持し、図１３に示すように、本体枠３に係る下辺部３ｄに当該遊技盤７を乗載する。このとき、遊技盤７は、遊技盤取付け開口２０内で可及的に右寄りに位置させ、各ローラー５０が位置決め用凹部３５ａの右隣に載置されるようにする。
【００５４】
次に、ローラー５０を下辺部３ｄの上面３１で転動させて、遊技盤７を前後に微調整しながら左方向へ走行させる。そして、図１４に示すように、遊技盤７を走行させながら両ローラー５０，５０を各位置決め用凹部３５ａ，３５ａに近づけ、図１５に示すように、両ローラー５０，５０を各位置決め用凹部３５ａ，３５ａ内に完全に嵌入させる。そうすると、下辺部３ｄの上面３１と遊技盤７の下面２９とが面接触し、遊技盤７が本体枠３の枠内に定置されることとなる。ここで、位置決め用凹部３５ａの短辺４５はローラー５０の前後幅（肉厚）にほぼ等しく設定されているため、遊技盤７は装着状態で前後にガタつくことがない。これにより、一連の装着作業のなかで同時に遊技盤７の位置決めと固定とが実現され、遊技盤７が本体枠３に適正に装着された状態となる。
【００５５】
なお、本実施例にあっても、開放状態のガラス収納枠４と上皿パネル５とを遮閉状態とすると、図１６に示すように、遊技盤７が、背板部１７、円柱型押さえ部材４１、及び板片型押さえ部材４２により挟持されて、前後に傾倒することなく起立状に保持される。
【００５６】
次に、第二実施例の変形例について説明する。
かかるパチンコ機１ａは、上記した構成にＬ形金具４９等を追加で取り付けたものである。具体的には、図１７に示すように、本体枠３に係る左辺部３ｂの枠内面３３の上端位置に、断面Ｌ字形のＬ形金具４９が金具背面を正面に向けた態様で固着されている。そして、本体枠３に設けられた背板部１７との間に、左辺部３ｂに沿った溝ｘが形成されている。
【００５７】
一方、図１８等に示すように、本実施例に係る遊技盤７の側部で左上角位置には、その肉厚が薄肉化されてなる薄肉部５５が形成されている。
【００５８】
かかる構成にあって、上述の第二実施例に係る装着手順と同様の手順に従い、遊技盤７を本体枠３に装着しようとすると（図１８〜図２０参照）、前記薄肉部５５がＬ形金具４９と背板部１７と間の溝ｘに進入し、遊技盤７の装着状態で薄肉部５５がＬ形金具４９と背板部１７とで挟持されることとなる（図２１参照）。これにより、遊技盤７は、装着状態で前後方向に支持固定されることとなり、より一層安定して本体枠３に保持されることとなる。なお、対向状に配されたＬ形金具４９と背板部１７とで形成された溝ｘにより、本発明に係る嵌合溝が構成される。
【００５９】
なお、遊技盤７を取り外す場合は、上記した装着手順と逆の手順で離脱作業を行うこととなる。
【００６０】
<第三実施例>
次に、第三実施例のパチンコ機１ｂについて説明する。なお、第一、第二実施例の構成と同じものについては、同じ符号を付すと共に、説明を簡略又は省略することとする。
図２２に示すように、本体枠３に係る上辺部３ａには、前方に向けてほぼ水平に、吊り下げ突起部７０が間隔をおいて二つ突設されている。さらに詳述すると、図２３に示すように、吊り下げ突起部７０は、本体枠３に係る上辺部３ａの正面を向く前端面７４に配設されており、Ｒ＝３０（ｍｍ）で上に凸の断面円弧形状（円周の１／３程度）をなしている。すなわち、吊り下げ突起部７０の上面７１は、左右方向に湾曲した湾曲面を構成している。また、吊り下げ突起部７０の外形寸法は、後述する遊技盤７の円形貫通孔８０に挿入可能なものに設定されている。
【００６１】
さらに、吊り下げ突起部７０の上面７１には、上方突起部７５がそれぞれ前後して上向きに配設されている。この上方突起部７５の外形（肉厚、突出高さ等）は、後述する円形貫通孔８０の上方切欠部８２が嵌入可能となるように設定されている。なお、本実施例に係る吊り下げ突起部７０により、本発明（請求項５，６）に係る突出杆が構成される。ところで、図２２は、吊り下げ突起部７０を説明するために、上辺部３ａを一部切欠して示している。
【００６２】
また、本体枠３に係る下辺部３ｄの上面３１には、上方開口した断面コ字形の受け溝部材６０が下辺部３ｄの長手方向に沿って二つ並設されている。なお、この受け溝部材６０の溝幅は、遊技盤７の肉厚にほぼ等しく設定されている。
【００６３】
一方、図２４に示すように、遊技盤７の上部には、前後方向に貫通した円形貫通孔８０が二つ並設されている。さらに詳述すると、両円形貫通孔８０，８０の間隔は、前記吊り下げ突起部７０，７０の間隔と等しく設定されていると共に、円形貫通孔８０の孔縁８１は、Ｒ＝３１（ｍｍ）に設定されている。さらに、円形貫通孔８０の天頂部には、孔縁８１が上方に切欠されて構成された上方切欠部８２が配設されている。
【００６４】
なお、本実施例では、ガラス収納枠の円柱型押さえ部材と上皿パネルの板片型押さえ部材は共に設けられない。
【００６５】
次に、遊技盤７の装着手順を説明する。
まず、作業者は本体枠３を遮閉状態とすると共に、ガラス収納枠４と上皿パネル５とを開放状態とする。そして、本体枠３の前側で装着しようとする遊技盤７を把持し、図２５ａに示すように、遊技盤７の上部に設けられた両円形貫通孔８０内に、本体枠３の吊り下げ突起部７０をそれぞれ挿入する。さらに、図２５ｂに示すように、その遊技盤７をやや下方移動させて吊り下げ突起部７０に円形貫通孔８０の孔縁８１を引っ掛けて、そのまま遊技盤７を本体枠３に吊り下げる。このとき、吊り下げ突起部７０に設けられた上方突起部７５が、円形貫通孔８０に設けられた上方切欠部８２内に嵌入すると共に、吊り下げ突起部７０の上面７１と、円形貫通孔８０の孔縁８１とが倣い接触することとなる。
【００６６】
また、これと共に、本体枠３に係る下辺部３ｄに配設された受け溝部材６０内に、上方から遊技盤７の下部が進入し、当該遊技盤７が受け溝部材６０により挟持される。具体的に、下辺部３ｄに配設された二つの受け溝部材６０のうち右側の受け溝部材６０に遊技盤７の右下角部が進入すると共に、左側の受け溝部材６０に遊技盤７の切欠部３２が進入し、それぞれ支持される。かかる状態となると、遊技盤７が装着された状態となる。
【００６７】
なお、遊技盤７が装着された状態にあって、当該遊技盤７の位置決めと固定は、吊り下げ突起部７０の円弧形状及びこれと倣い接触する円形貫通孔８０の円弧形状、並びに、上方突起部７５及びこれと係合する上方切欠部８２で保証される。また、遊技盤７の下部が本体枠３の受け溝部材６０に嵌入されることにより、遊技盤７は前後方向の移動が規制され、さらに強固に本体枠３に保持されることとなる。
【００６８】
なお、吊り下げ突起部７０は、本体枠３から後方に向けて突出する構成としても良い。かかる構成とすると、本体枠３の後方側から遊技盤７を吊り下げ、装着状態とすることとなる。
【００６９】
また、本実施例にあって、遊技盤７を取り外す場合は、上記した装着手順と逆の手順で離脱作業を行うこととなる。
【図面の簡単な説明】
【００７０】
【図１】第一実施例に係るパチンコ機１の正面図である。
【図２】第一実施例に係る遊技盤７の正面図である。
【図３】第一実施例に係る遊技盤７の下面図である。
【図４】第一実施例に係る遊技盤７の装着過程を示す説明図である。
【図５】図４から続く、第一実施例に係る遊技盤７の装着過程を示す説明図である。
【図６】第一実施例に係る遊技盤７の装着状態を示す説明図である。
【図７】第一実施例に係る遊技盤７の縦断側面図である。
【図８】第二実施例に係るパチンコ機１ａの外観斜視図である。
【図９】第二実施例に係る遊技盤７の正面図である。
【図１０】第二実施例に係る遊技盤７の下面図である。
【図１１】（ａ）は、ローラー５０を示す斜視図であり、（ｂ）は、ローラー５０の分解斜視図である。
【図１２】図６のＡ部を拡大して示す斜視図である。
【図１３】第二実施例に係る遊技盤７の装着過程を示す説明図である。
【図１４】図１３から続く、第二実施例に係る遊技盤７の装着過程を示す説明図である。
【図１５】第二実施例に係る遊技盤７の装着状態を示す説明図である。
【図１６】第二実施例に係る遊技盤７の縦断側面図である。
【図１７】第二実施例の変形例に係るパチンコ機１ａの外観斜視図である。
【図１８】第二実施例の変形例に係る遊技盤７の装着過程を示す説明図である。
【図１９】図１８から続く、第二実施例の変形例に係る遊技盤７の装着過程を示す説明図である。
【図２０】第二実施例の変形例に係る遊技盤７の装着状態を示す説明図である。
【図２１】第二実施例の変形例に係る遊技盤７の縦断側面図である。
【図２２】第三実施例に係るパチンコ機１ｂの一部切欠外観斜視図である。
【図２３】図２２のＢ部を拡大して示す斜視図である。
【図２４】第三実施例に係る遊技盤７の正面図である。
【図２５】（ａ）は、第三実施例に係る遊技盤７の装着過程を示し、（ｂ）は、同遊技盤７の装着状態を示す説明図である。
【符号の説明】
【００７１】
１，１ａ，１ｂ  パチンコ機
２  外枠
３  本体枠
３ａ  本体枠の上辺部
３ｂ  右辺部（側辺部）
３ｃ  左辺部（側辺部）
３ｄ  本体枠の下辺部
７  遊技盤
１６  遊技機本体
２０  遊技盤取付け開口
２１  装着案内溝
２２  水平溝部
２３  垂直溝部
２８  位置決め用凸部
２９  遊技盤の下面
３０  吊り下げピン（突出杆）
３１  下辺部の上面
３３  右辺部の枠内面
３５，３５ａ  位置決め用凹部
４１  円柱型押さえ部材（補助支持部材）
４２  板片型押さえ部材（補助支持部材）
５０  ローラー（転動部）
７０  吊り下げ突起部（突出杆）
７１  吊り下げ突起部の上面
７５  上方突起部
８０  貫通孔
８１  孔縁
８２  上方切欠部
ｄ１  垂直溝部の溝幅
ｘ  溝（嵌合溝）
【図１】
2007151737.tif 000003
【図２】
2007151737.tif 000004
【図３】
2007151737.tif 000005
【図４】
2007151737.tif 000006
【図５】
2007151737.tif 000007
【図６】
2007151737.tif 000008
【図７】
2007151737.tif 000009
【図８】
2007151737.tif 000010
【図９】
2007151737.tif 000011
【図１０】
2007151737.tif 000012
【図１１】
2007151737.tif 000013
【図１２】
2007151737.tif 000014
【図１３】
2007151737.tif 000015
【図１４】
2007151737.tif 000016
【図１５】
2007151737.tif 000017
【図１６】
2007151737.tif 000018
【図１７】
2007151737.tif 000019
【図１８】
2007151737.tif 000020
【図１９】
2007151737.tif 000021
【図２０】
2007151737.tif 000022
【図２１】
2007151737.tif 000023
【図２２】
2007151737.tif 000024
【図２３】
2007151737.tif 000025
【図２４】
2007151737.tif 000026
【図２５】
2007151737.tif 000027